(57)【要約】【課題】光源から発せられた光を反射板に照射し、その反射光のムラを防止し、均一な照度で照明可能な照明構造を提供する。【解決手段】光源１と、当該光源１から一定の距離を隔てて対向して配置され、凹面状又は凸面状のブロック部３が複数形成された反射板２とを備えた照明構造Ａにおいて、上記ブロック部３は、平面のチップ反射面４が複数連設して構成されている。【選択図】図１
2005190679.tif 000002
【特許請求の範囲】
【請求項１】
光源と、当該光源から一定の距離を隔てて対向して配置され、凹面状又は凸面状のブロック部が複数形成された反射板とを備えた照明構造において、
上記ブロック部は、平面のチップ反射面が複数連設して構成されていることを特徴とする照明構造。
【請求項２】
請求項１において、
上記チップ反射面は、照明範囲のうち、特定の位置に向けて照射可能に設定されたものであることを特徴とする照明構造
。
【請求項３】
請求項１において、
上記チップ反射面は、他のチップ反射面と異なる方向に向けて各々設定されたものであることを特徴とする照明構造
。
【請求項４】
請求項１〜３の何れかにおいて、
上記ブロック部には、少なくとも５０以上のチップ反射面が複数連設して形成されていることを特徴とする照明構造。
【請求項５】
請求項１〜５の何れかにおいて、
１つのブロック部に形成されているチップ反射面のパターン形状は、他のブロック部に形成されているチップ反射面のパターン形状と異なって形成されていることを特徴とする照明構造。
【請求項６】
請求項１〜５の何れかにおいて、
上記光源は、平行光線を発光させる照明器具を用いたことを特徴とする照明構造。
【請求項７】
請求項１〜６の何れかにおいて、
上記反射板は、平板で形成されていることを特徴とする照明構造。
【請求項８】
請求項１〜７の何れかにおいて、
上記反射板は、上記光源からの光の照射方向に対して傾けて設置されていることを特徴とする照明構造。
【発明の詳細な説明】
【技術分野】
【０００１】
本発明は、例えば、屋外の公園や駐車場、道路等における光源の取替えがし難い場所で使用される照明構造に関する。
【背景技術】
【０００２】
従来、例えば、屋外の公園や駐車場、道路等における光源の取替えがし難い場所に照射するため、光源と、当該光源から一定の距離を隔てて対向して配置された反射板を備え、上記光源から発せられた光を上記反射板に集光し、その反射光によって所望の範囲を照明する照明構造はあった。
【０００３】
この照明構造では、光源を取替え易い場所に設置しておき、この光源からの光を反射板に照射し、その反射光によって、所望の範囲を照明できるため、上記光源の取替えを容易にできるものである（例えば、特許文献１参照。）。
【０００４】
また、近年では、上記同様な照明構造を用いて、上記反射板に凹面状又は凸面状のブロック部を複数形成した照明構造も開発されている。
【０００５】
この照明構造では、光源から発せられた光は、反射板の上記ブロック部に集光され、その反射光を様々な方向に拡散することで、上記効果に加え、所望の範囲を均一な照度で照明しようとするものである。
【特許文献１】特開平５−１９０００９号
【発明の開示】
【発明が解決しようとする課題】
【０００６】
しかし、この照明構造では、光源の取替えが容易であるうえ、所望の範囲を均一な照度で照明しようとすることが図られているが、その照度にはバラツキがあり、均一な照度を得るには未だ不充分であるという問題があった。
【０００７】
本発明は、かかる課題を解決することを目的とするもので、光源から発せられた光を反射板に照射し、その反射光のムラを防止し、均一な照度で照明可能な照明構造を提供する。
【課題を解決するための手段】
【０００８】
上記目的を達成するため、
請求項１に係る照明構造は、光源と、当該光源から一定の距離を隔てて対向して配置され、凹面状又は凸面状のブロック部が複数形成された反射板とを備えた照明構造において、  上記ブロック部は、平面のチップ反射面が複数連設して構成されていることを特徴とする。
【０００９】
このものでは、反射板のブロック部に、平面のチップ反射面が複数連設しているので、光源から発せられた光の反射光は、チップ反射面に応じた様々な方向に拡散され、光源側の床面や壁面等を、ムラなく均一な照度で照明できる。
【００１０】
請求項２に係る照明構造は、請求項１において、上記チップ反射面は、照明範囲のうち、特定の位置に向けて照射可能に設定されたものであることを特徴とする照明構造
。
【００１１】
このものでは、チップ反射面を特定の位置に向けて照射可能にしているので、照明範囲の照度の調節を自由に設定できる。
【００１２】
請求項３に係る照明構造は、請求項１において、上記チップ反射面は、他のチップ反射面と異なる方向に向けて各々設定されたものであることを特徴とする。
【００１３】
このものでは、チップ反射面を他の反射面と異なる方向に向けて各々形成しているので、反射光を確実に拡散し、床面や壁面等を確実に均一な照度で照明できる。
【００１４】
請求項４に係る照明構造は、請求項１〜３の何れかにおいて、上記ブロック部には、少なくとも５０以上のチップ反射面が複数連設して形成されていることを特徴とする。
【００１５】
このものでは、チップ反射面の具体的数値を限定しており、１つのブロック部に少なくとも５０以上のチップ反射面を複数連設して形成すれば、光源側の床面や壁面等を、ムラなく均一な照度で照明できる。
【００１６】
請求項５に係る照明構造は、請求項１〜５の何れかにおいて、１つのブロック部に形成されているチップ反射面のパターン形状は、他のブロック部に形成されているチップ反射面のパターン形状と異なって形成されていることを特徴とする。
【００１７】
このものでは、チップ反射面のパターン形状をブロック部毎に異なって形成しているので、照射する床面や壁面等の材質、形状等に応じた適切な照明を容易に設計或いは製造できる。
【００１８】
請求項６に係る照明構造は、請求項１〜５の何れかにおいて、上記光源は、平行光線を発光させる照明器具を用いたことを特徴とする。
【００１９】
このものでは、平行光線を発光する照明器具を用いているので、反射効率が良く、設計通りの均一な照度を得ることができる。
【００２０】
請求項７に係る照明構造は、請求項１〜６の何れかにおいて、上記反射板は、平板に形成したものであることを特徴とする。
【００２１】
このものでは、反射板を平板に形成しているので、製造が容易である。
【００２２】
請求項８に係る照明構造は、請求項１〜７の何れかにおいて、上記反射板は、上記光源からの光の照射方向に対して傾けて設置されていることを特徴とする。
【００２３】
このものでは、反射板を光源からの照射方向に対して傾けて設置しているので、光源の設置場所に関係なく、均一な照明を照射できる。
【発明の効果】
【００２４】
本発明によれば、次のような効果がある。
請求項１に係る照明構造によれば、光源の取替えを容易にできるうえ、反射板のブロック部に、平面のチップ反射面が複数連設しているので、光源から発せられた光の反射光は、チップ反射面に応じた様々な方向に細かく拡散され、所望の照明範囲を、ムラなく均一な照度で照明できる。
【００２５】
請求項２に係る照明構造によれば、チップ反射面を特定の位置に向けて照射可能にしているので、照明範囲の照度の調節を自由に設定でき、予め設計した通りの照度を確実に得ることができる
請求項３に係る照明構造によれば、チップ反射面を他の反射面と異なる方向に向けて各々形成しているので、反射光を確実に拡散し、床面や壁面等を確実に均一な照度で照明できる。
【００２６】
請求項４に係る照明構造によれば、チップ反射面の具体的数値を限定しており、１つのブロック部に少なくとも５０以上のチップ反射面を複数連設して形成すれば、光源側の床面や壁面等を、ムラなく均一な照度で照明できる。
【００２７】
請求項５に係る照明構造によれば、チップ反射面のパターン形状をブロック部毎に異なって形成しているので、照射する床面や壁面等の材質、形状等に応じた適切な照明を容易に設計或いは製造できる。
【００２８】
請求項６に係る照明構造によれば、平行光線を発光する照明器具を用いているので、反射効率が良く、設計通りの均一な照度を得ることができる。
【００２９】
請求項７に係る照明構造によれば、反射板を平板に形成しているので、製造が容易である。
【００３０】
請求項８に係る照明構造によれば、反射板を光源からの照射方向に対して傾けて設置しているので、光源の設置場所に関係なく、均一な照明を照射できる。
【発明を実施するための最良の形態】
【００３１】
以下、本発明に係る照明構造Ａを図面とともに説明する。
【実施例１】
【００３２】
図１（ａ）、（ｂ）は、本発明に係る照明構造Ａの一実施例を示す使用状態の概略図であり、図１（ａ）は、光源に向けて反射させ、床面に照明を照射している概略図を示し、図１（ｂ）は、光源と異なる位置に反射させ、壁面に照明を照射している概略図を示している。
【００３３】
図２は、図１で示した反射板の一部を拡大したブロック部の部分斜視図であり、このブロック部の更に部分拡大した図を破線内に示したものである。
【００３４】
本発明の照明構造Ａは、光源１と、当該光源１から一定の距離を隔てて対向して反射板２が配置された基本構造を成すと共に、この反射板２に凹面状のブロック部３が複数形成され、しかも、このブロック部３には、平面のチップ反射面４が複数連設されていることに特徴がある。
【００３５】
光源１は、反射板２に向けて照射できるものであれば蛍光灯等を用いても構わないが、好ましくは、スポットライト等のような平行光線を発光させる照明器具を用いるものが良い。このような平行光線を発光する照明器具であれば、光の反射効率が良いので、設計通りの均一な照度を得ることができる。また、光源１は、反射板２と一定の距離を隔てて設けられた構造であるので、光源１の取替えも容易にできる。
【００３６】
反射板２は、光源１からの光を受ける反射面側を鏡面した平板であり、この鏡面側に全体が腕状乃至凹面状に形成されたブロック部３を複数形成している。
【００３７】
このブロック部３は、凹面状又は凸面状の何れにも形成できるが、本実施例のような腕状乃至凹面状に形成しておけば、光源１の反射光を、他のブロック部３に２次反射することを防止できる。
【００３８】
そして、これらブロック部３には、平面のチップ反射面４が複数連設して形成されている。
【００３９】
このチップ反射面４は、図２の点線枠内に示すように、上記反射面側を平面に形成しており、しかも、これらチップ反射面４は、照明範囲のうち、特定の位置に向けて照射可能に設定されている。すなわち、これらチップ反射面４は、特定の位置に向けて照射可能にしているので、照明範囲の照度の調節を自由に設定できる。
【００４０】
また、これらのチップ反射面４は、他のチップ反射面４と異なる方向に向けて各々形成され、本実施例では、１つのブロック部３内における全てのチップ反射面４は全て異なる方向に向けて形成している。
【００４１】
このようにチップ反射面４を他のチップ反射面４と異なる方向に向けて各々形成しておけば、光源１からの反射光を確実に拡散し、床面や壁面等を確実に均一な照度で照明できる。また、本実施例のようにチップ反射面４を全て異なる方向に向けて各々形成すれば、その反射光をより確実に拡散できる。
【００４２】
具体的には、数値制御による機能加工により上記チップ反射面４に形成した金型を製作し、この金型から容易に形成することができる。
【００４３】
また、１つのブロック部３には、少なくとも５０以上のチップ反射面４が形成されていれば、反射光として均一な照度を得ることは可能であるが、本実施例では、左右対称な１００面から構成される１６ミリ角の正方形に形成されたチップ反射面４を用いている。
【００４４】
また、１つのブロック部３に形成されているチップ反射面４のパターン形状（或いは配置形状）は、他のブロック部３に形成されているチップ反射面４のパターン形状（或いは配置形状）と異なって形成することも可能である。
【００４５】
このように、チップ反射面４のパターン形状を、ブロック部３単位で形成すれば、これらのブロック部３を組み合わせるだけで、照射する床面や壁面等の材質、形状等に応じた適切な照明を容易に設計或いは製造できる。
【００４６】
図３（ａ）、（ｂ）は、本発明に係るチップ反射面の一実施例を示したブロック部の横断面図であり、図３（ａ）は、ブロック部３の反射面側に平面なチップ反射面４を連設形成した実施例の横断面図であり、図３（ｂ）は、ブロック部３のチップ反射面４を平板で各々形成したものを連設形成した実施例の横断面図である。
【００４７】
これら図３（ａ）、（ｂ）で示すように、チップ反射面４は、一体型或いは分割型の何れでも形成することは可能であるが、反射板２の全体形状が大きくなれば、チップ反射板４を分割して形成をした方が製造を容易にできる。
本発明の照明構造Ａは、以下のように作用する。
【００４８】
図１で示すように、所望の照明位置や範囲を特定する。
【００４９】
そして、図１（ａ）のように光源１の周囲を照明する場合には、反射板２を光源１に対向配置する。また、図１（ｂ）のように光源１とは異なる位置を照明する場合には、反射板２を光源１からの照射方向に対して傾けて設置すれば良い。
【００５０】
このようにして光源１及び反射板２を設置後、光源１を発光すれば、その平行光で入ってきた平行光線は、反射板２のブロック部３に形成された複数のチップ反射面４によって任意方向へ反射され、目的の照射面を均一に照射するのである。
【００５１】
図４は、本発明に係るチップ反射面での反射状態を示す概略説明図である。
【００５２】
この図４を用いて、チップ反射面４で反射された反射光の軌跡を更に詳しく説明する。
【００５３】
ここで、仮に、ブロック部３における１列のチップ反射面４は、５分割されているものと仮定し、便宜上、これら５分割された各々のチップ反射面４を（４１ａ〜４１ｅ）とする。同様に、隣接された他のブロック部３における各々のチップ反射面４を（４２ａ〜４２ｅ）、更に、隣接されら他のブロック部３における各々のチップ反射面４を（４３ａ〜４３ｅ）、（４４ａ〜４４ｅ）…とする。
【００５４】
このとき、全てのチップ反射面４は、予め設計した通りの位置に向けて照射可能に設定されているが、この図４では、照明範囲P〜Ｔの内、あるチップ反射面４（４１ｅ、４２ｅ、４３ｅ、４４ｅ…）は、照明範囲Pに向けて設定されており、また、あるチップ反射面４（４１ｃ、４２ｃ、４３ｃ、４４ｃ…）は、照明範囲Rに向けて設定されているものを例示している。
【００５５】
そして、このように設定したチップ反射面４（４１ｅ、４２ｅ、４３ｅ、４４ｅ…）に向けて、光源１からの平行光線は、何れの反射光も照明範囲Pに向けて照射されることで、照明範囲Pをムラなく均一な照度で照明できる。同様の要領で、照明範囲Q〜Tにも照射することができる。
【００５６】
このようなチップ反射面４によれば、光源１から発せられた光の反射光は、様々なチップ反射面４によって、特定された方向に細かく拡散され、所望の照明範囲に対して、予め設計した通りの照度をムラなく均一に照明することができる。
【００５７】
また、目的の照射面を５０分割し、チップ反射面４（１００面の半分）と１対１となるように組合せ、入射した平行光線が対の照射面に到達するように、チップ反射面４の角度を調整すれば、広範囲な照射面を均一に照らす事も可能である。
【００５８】
更に、照射面をより均一にするために、上記の通り、１つのブロック部３に形成されているチップ反射面４のパターン形状（或いは配置形状）を、他のブロック部３に形成されているチップ反射面４のパターン形状（或いは配置形状）と異なって形成することによって、照射ポイントの異なるブロック部３を組み合わせることも可能である。
【００５９】
すなわち、一種類のブロック部３では、照度ムラが残ることもあるため、落ち込んだ部分、つまり、照度の弱い部分を補うための別の照射ポイントを有するブロック部３を組み合わせ、例えば、３種類のブロック部３を使用することで、照度ムラを緩和することができる。
【産業上の利用可能性】
【００６０】
本発明は、屋外の公園や駐車場、道路等における光源の取替えがし難い場所、或いは、オフィス、展示ルーム等の照明の照度がほぼ均一であることを要求される場所などに好適に適用できる照明構造として有効に利用することが可能である。
【図面の簡単な説明】
【００６１】
【図１】（ａ）、（ｂ）は、本発明に係る照明構造Ａの一実施例を示す使用状態の概略図であり、図１（ａ）は、光源に向けて反射させ、床面に照明を照射している概略図を示し、図１（ｂ）は、光源と異なる位置に反射させ、壁面に照明を照射している概略図を示している。
【図２】図１で示した反射板の一部を拡大したブロック部の部分斜視図であり、このブロック部の更に部分拡大した図を破線内に示したものである。
【図３】（ａ）、（ｂ）は、本発明に係るチップ反射面の一実施例を示したブロック部の横断面図であり、図３（ａ）は、ブロック部の反射面側に平面なチップ反射面を連設形成した実施例の横断面図であり、図３（ｂ）は、ブロック部のチップ反射面を平板で各々形成したものを連設形成した実施例の横断面図である。
【図４】本発明に係るチップ反射面での反射状態を示す概略説明図である。
【符号の説明】
【００６２】
Ａ    本発明に係る照明構造
１    光源
２    反射板
３    ブロック部
４    チップ反射面
【図１】
2005190679.tif 000003
【図２】
2005190679.tif 000004
【図３】
2005190679.tif 000005
【図４】
2005190679.tif 000006